(57)【要約】【課題】  塗装ローラ用支持軸の固定筒の挿通孔への挿通を容易にすると共に、組み付け作業も容易にすることによって製造コストを低減することができる塗装ローラ用支持軸の軸受構造を提供する。【解決手段】  塗装ローラ用支持軸の軸受構造は、塗装ロール１を固定するための固定部２ａを外周に有すると共に、長手方向に挿通孔２ｂを有する円筒状の外筒部材２と、長手方向にスリット３ａと、挿通孔３ｂとを有する固定筒部材３とから構成されている。外筒部材２は、半円筒状の蓋部２１と、半円筒状の本体部２２とを有し、本体部２２と蓋部２１との間は、連結部２３によって開閉可能に一体的に結合されている。【選択図】図１
2014237068.tif 000002
【特許請求の範囲】
【請求項１】
塗装ロールを固定するための固定部を外周に有する共に、長手方向に挿通孔を有する円筒状の外筒部材と、長手方向に挿通孔を有する固定筒部材とからなり、
前記外筒部材は、半円筒状の蓋部と、半円筒状の本体部とを有し、該本体部と前記蓋部との間は、連結部によって開閉可能に一体的に結合されたものであって、
前記蓋部を前記本体部に閉じた状態で、前記挿通孔を長手方向に有すると共に、該挿通孔の中間部に、該挿通孔よりも大径であって前記固定筒部材を収容可能な収容孔が設けられていることを特徴とする塗装ローラ用支持軸の軸受構造。
【請求項２】
外筒部材の蓋部は、嵌合孔又は嵌合突起を備え、本体部は、前記蓋部の前記嵌合孔又は前記嵌合突起と嵌合する嵌合突起又は嵌合孔を備えていることを特徴とする請求項１に記載の塗装ローラ用支持軸の軸受構造。
【請求項３】
連結部は、外筒部材の外周に設けられたヒンジで構成されていることを特徴とする請求項１又は２に記載の塗装ローラ用支持軸の軸受構造。
【発明の詳細な説明】
【技術分野】
【０００１】
本発明は、建造物の壁面等の塗装に使用する塗装ローラに関し、より詳しくは、塗装ローラの塗装ロールを支持する支持軸の軸受構造に関するものである。
【背景技術】
【０００２】
従来から、この種の塗装ローラの支持軸の軸受構造としては、外周に塗装ロールを取り付けることができる外筒部材と固定筒の双方に挿通孔を有し、この挿通孔内に塗装ローラ用支持軸を挿通させ、固定筒は、塗装ローラ用支持軸に固定され、外筒部材は、塗装ローラ用支持軸に回動自在となったものが知られている（特許文献１）。
【０００３】
上記特許文献１に記載の発明では、外筒部材の外周に開口部を形成し、この開口部から固定筒を組み込む構造となっている。その為、外筒部材の開口部が設けられた部分の挿通孔の内径を固定筒の外径よりも大きくし過ぎると外筒部材内にて固定筒の位置ずれが発生し、塗装ローラ用支持軸の挿通が難しくなるので、外筒部材の開口部が設けられた部分の挿通孔と固定筒の外径は略等しくなるように作成する必要があり加工精度を要求されていた。
【０００４】
一方、外筒部材を軸方向に分割して形成した塗装ローラの発明も知られている（特許文献２及び３）。この発明によって、塗装ローラ用支持軸は、固定筒の挿通孔へ容易に挿通することができるようになった。
【先行技術文献】
【特許文献】
【０００５】
【特許文献１】特許第２７７２６２６号公報
【特許文献２】特許第４４３６５５４号公報
【特許文献３】特許第４７３４４４３号公報
【発明の概要】
【発明が解決しようとする課題】
【０００６】
しかしながら、上記特許文献２及び３に記載の塗装ローラの発明では、部品点数が増えると共に、分割した複数の外筒部材を固定する構造が必要となり、分割した複数の外筒部材を組み付ける作業も必要となることから、製造コストが高くなるという課題を有していた。
【０００７】
本発明は、上記のような課題を解決する為になされたもので、塗装ローラ用支持軸の固定筒の挿通孔への挿通を容易にすると共に、組み付け作業も容易にすることによって製造コストを低減することができる塗装ローラ用支持軸の軸受構造を提供することを目的としている。
【課題を解決するための手段】
【０００８】
上記従来の課題を解決する為に、請求項１の塗装ローラ用支持軸の軸受構造の発明は、塗装ロールを固定するための固定部を外周に有する共に、長手方向に挿通孔を有する円筒状の外筒部材と、長手方向に挿通孔を有する固定筒部材とからなり、前記外筒部材は、半円筒状の蓋部と、半円筒状の本体部とを有し、該本体部と前記蓋部との間は、連結部によって開閉可能に一体的に結合されたものであって、前記蓋部を前記本体部に閉じた状態で、前記挿通孔を長手方向に有すると共に、該挿通孔の中間部に、該挿通孔よりも大径であって前記固定筒部材を収容可能な収容孔が設けられていることを特徴としている。請求項１の発明では、本体部と蓋部との間が連結部によって開閉可能に一体的に結合されているので、本体部と蓋部とに分割されている場合と比較して組み付け作業を短縮することができ、製造コストを低減することができる。また、挿通孔の中間部に設けられた収容孔に固定筒部材を容易に収容することができる。
【０００９】
請求項２の発明は、請求項１に記載の構成よりなる塗装ローラ用支持軸の軸受構造において、外筒部材の蓋部は、嵌合孔又は嵌合突起を備え、本体部は、前記蓋部の前記嵌合孔又は前記嵌合突起と嵌合する嵌合突起又は嵌合孔を備えていることを特徴としている。したがって、蓋部の開閉を容易に行うことができることから、収容孔へ固定筒部材を確実に収容することができる。
【００１０】
請求項３の発明は、請求項１又は２に記載の構成よりなる塗装ローラ用支持軸の軸受構造において、連結部は、外筒部材の外周に設けられたヒンジで構成されていることを特徴としている。したがって、連結部が複雑な構成となることなく本体部と蓋部とを開閉可能に一体的に結合することができる。
【発明の効果】
【００１１】
請求項１の発明では、本体部と蓋部とを組み付ける作業を短縮することができ、製造コストを低減することができる。また、挿通孔の中間部に設けられた収容孔に固定筒部材を容易に収容することができる。
【００１２】
また、請求項２の発明では、蓋部の開閉を容易に行うことができることから、収容孔へ固定筒部材を確実に収容することができる。さらに、請求項３の発明では、連結部が複雑な構成となることなく本体部と蓋部とを開閉可能に一体的に結合することができる。
【図面の簡単な説明】
【００１３】
【図１】本発明に係る塗装ローラ用支持軸の軸受構造を適用した塗装ローラの分解斜視図
【図２】（ａ）外筒部材の蓋部を開いた状態の左側面図（ｂ）同正面図（ｃ）同背面図
【図３】（ａ）固定筒部材の左側面図（ｂ）同正面図
【図４】本発明に係る塗装ローラ用支持軸の軸受構造を適用した塗装ローラの断面図
【発明を実施するための形態】
【００１４】
以下、本発明の実施形態について、図面を参照しながら説明する。図１は、本発明に係る塗装ローラ用支持軸の軸受構造を適用した塗装ローラの分解斜視図である。この図に示すように、本発明に係る塗装ローラ用支持軸の軸受構造は、塗装ロール１を固定するための固定部２ａを外周に有すると共に、長手方向に挿通孔２ｂを有する円筒状の外筒部材２と、長手方向にスリット３ａと、挿通孔３ｂとを有する固定筒部材３とから構成されている。
【００１５】
そして、外筒部材２は、半円筒状の蓋部２１と、半円筒状の本体部２２とを有し、本体部２２と蓋部２１との間は、連結部２３によって開閉可能に一体的に結合される構造となっている。
【００１６】
また、蓋部２１を本体部２２に閉じた状態で、挿通孔２ｂを長手方向に有すると共に、挿通孔２ｂの中間部に、挿通孔２ｂよりも大径であって固定筒部材３を収容可能な収容孔２４が設けられている。
【００１７】
そして、一方の端部に取っ手４ａが設けられている支持部材４の支持軸４ｂを、外筒部材２の挿通孔２ｂと固定筒部材３の挿通孔３ｂの両方に挿通させて、固定筒部材３を支持軸４ｂに固定して収容孔２４に収容すると、外筒部材２は、支持軸４ｂに回動自在となり、外筒部材２の固定部２ａに固定される塗装ロール１は、支持部材４に対して回動可能な状態となる。
【００１８】
尚、塗装ロール１は内筒部材１１に、刷毛部材１２が植設された構造を有するものであり、内筒部材１１の内壁１１ａに外筒部材２の固定部２ａが当接して挿嵌される構造となっている。刷毛部材１２は、パイル生地、合成繊維製織物、スポンジ、毛足の長い皮革等各種のものを使用することができる。
【００１９】
図２（ａ）は、外筒部材の蓋部を開いた状態の左側面図であり、図２（ｂ）は、外筒部材の蓋部を開いた状態の正面図であり、図２（ｃ）は、外筒部材の蓋部を開いた状態の背面図である。これらの図を用いて外筒部材２について説明する。
【００２０】
前述したように、外筒部材２は、半円筒状の蓋部２１と、半円筒状の本体部２２とを有し、本体部２２と蓋部２１との間は、連結部２３によって開閉可能に一体的に結合される構造となっている。また、蓋部２１を本体部２２に閉じた状態で、挿通孔２ｂを長手方向に有すると共に、挿通孔２ｂの中間部に、挿通孔２ｂよりも大径であって固定筒部材３を収容可能な収容孔２４が設けられている。そして、蓋部２１の２箇所には、嵌合孔２５が設けられている。また、本体部２２の２箇所には、蓋部２１の嵌合孔２５と対応する位置に、嵌合突起２６が設けられている。
【００２１】
そして、蓋部２１を本体部２２に閉じた状態では、蓋部２１の嵌合孔２５に本体部２２の嵌合突起２６が挿嵌されて固定される。尚、蓋部２１側に嵌合突起を設け、本体部２２側に嵌合孔２５を設ける構成としてもよいものである。
【００２２】
また、蓋部２１と本体部２２とを連結する連結部２３は、外筒部材２の外周に設けられたヒンジで構成されている。したがって、連結部２３が複雑な構成となることなく本体部２２と蓋部２１とを開閉可能に一体的に結合することができ、射出成形等によって容易に製造することができる。
【００２３】
図３（ａ）は、固定筒部材の左側面図であり、図３（ｂ）は、固定筒部材の正面図である。これらの図を用いて固定筒部材３について説明する。
【００２４】
固定筒部材３は、弾力性を備え伸縮可能な材料にて成形されている。そして、固定筒部材３の挿通孔３ｂの直径は、図１に示した支持軸４ｂの直径よりも若干小さくなるように成形されており、スリット３ａが設けられていることによって、挿通孔３ｂに、支持軸４ｂが挿通されると共に、固定筒部材３は、支持軸４ｂの外周に固定される。
【００２５】
図４は、本発明に係る塗装ローラ用支持軸の軸受構造を適用した塗装ローラの断面図である。
【００２６】
図４に示すように、支持部材４の支持軸４ｂが、外筒部材２の挿通孔２ｂと固定筒部材３の挿通孔３ｂの両方に挿通した状態で塗装ロール１は、支持部材４に回動自在に固定されている。また、固定筒部材３は、外筒部材２の収容孔２４に収容されており、外筒部材２は、塗装ロール１の刷毛部材１２が植設された内筒部材１１の内壁１１ａに固定部２ａが当接して挿嵌されている。
【産業上の利用可能性】
【００２７】
本発明の塗装ローラ用支持軸の軸受構造は、建造物の壁面等の塗装に使用する塗装ローラに適用されて使用される。
【符号の説明】
【００２８】
１  塗装ロール
２  外筒部材
２ａ  固定部
２ｂ  挿通孔
３  固定筒部材
３ａ  スリット
３ｂ  挿通孔
４  支持部材
４ａ  取っ手
４ｂ  支持軸
１１  内筒部材
１１ａ  内壁
１２  刷毛部材
２１  蓋部
２２  本体部
２３  連結部
２４  収容孔
２５  嵌合孔
２６  嵌合突起
【図１】
2014237068.tif 000003
【図２】
2014237068.tif 000004
【図３】
2014237068.tif 000005
【図４】
2014237068.tif 000006